(57)【特許請求の範囲】
【請求項１】
便箋を三つ折りにして封筒内に挿入する封筒文具であって、
該封筒に挿入可能な大きさで且つ三つ折りにされる便箋の一辺の長さの略２／３の内周を有する柔軟部材で形成された筒体と、
該筒体の一方に開口した便箋挿入口と、
該筒体の他方に開口した便箋排出口と、
該筒体を押し潰した際に長方形を呈するように該筒体の折り曲げを許容する第一の辺と、
該第一の辺に対向して該筒体の折り曲げを許容する第二の辺と、を備え、
該便箋排出口において、該第一の辺と該第二の辺との中間となる位置には、指の挿入を許容する対向して形成された一対の切り欠き部を有し、
該第一の辺または該第二の辺のいずれか一方の内側に、
該便箋挿入口から該便箋排出口に至る短冊状の耳が配設される、
ことを特徴とする封筒文具。
【請求項２】
該便箋挿入口には該封筒に挿入された該筒体を該封筒から排出する取っ手が形成される、
ことを特徴とする請求項１に記載の封筒文具。
【請求項３】
請求項１又は請求項２のいずれか一項に記載の封筒文具の使用方法であって、
該便箋を丸めて該筒体に挿入し、該便箋排出口から突出した該便箋の端部を平坦な面で叩いて該筒体の内部に該便箋を収容するとともに、該便箋の一辺を該第一の辺または該第二の辺に合わせる便箋挿入ステップと、
該便箋挿入ステップを実施した後、該筒体を該第一の辺及び該第二の辺に沿って潰して該便箋を三つ折りにする三つ折りステップと、
該三つ折りステップで三つ折りにされた便箋を収容した該筒体を該便箋排出口から該封筒に収容する封筒収容ステップと、
該封筒収容ステップを実施した後、該便箋排出口に形成された一対の該切り欠き部に対応する該封筒の底の部位をつまむことで該封筒を介して該便箋をつまむ便箋つまみステップと、
該便箋つまみステップに続いて該筒体を該封筒から排出して三つ折りにされた該便箋を該封筒内に収容する便箋収容ステップと、
を有する封筒文具の使用方法。
【発明の詳細な説明】
【技術分野】
【０００１】
本発明は、便箋を三つ折りにして封筒へと挿入する封筒文具と、この封筒文具の使用方法に関する。
【背景技術】
【０００２】
封書を郵送する際には、便箋を例えば三つ折りした上で封筒に挿入することが行われている。ところが、多量の封書を郵送する際、一通毎に便箋を所定の大きさになるように折り、封筒に挿入するには非常に時間がかかることになる。また、例えば、便箋を正確に三つ折りするのは難しいという問題がある。
【０００３】
そこで、便箋を容易かつ正確に折りたためるように、特許文献１では、表紙に折り位置を示す目印をつけた便箋について開示がされている。
【先行技術文献】
【特許文献】
【０００４】
【特許文献１】特開２００５−３２４５２８号公報
【発明の概要】
【発明が解決しようとする課題】
【０００５】
しかしながら、特許文献１に開示されるように、便箋に目印が形成されている場合であっても、便箋に目印が形成されていないものと比較して、便箋を折るために要する時間は変わらず、より短時間で便箋を折ることが可能な技術が望まれていた。
【０００６】
ただし、短時間で便箋を折ることができたとしても、正確性をそぐわないこととする必要がある。また、便箋を追った後に封筒に挿入するために要する時間についても、短縮できることが望まれる。
【０００７】
本発明はこのような点に鑑みてなされたものであり、その目的とするところは、容易に短時間で便箋を三つ折りするとともに、封筒へと挿入するための封筒文具、及び、封筒文具の使用方法を提供することである。
【課題を解決するための手段】
【０００８】
請求項１に記載の発明によると、便箋を三つ折りにして封筒内に挿入する封筒文具であって、該封筒に挿入可能な大きさで且つ三つ折りにされる便箋の一辺の長さの略２／３の内周を有する柔軟部材で形成された筒体と、該筒体の一方に開口した便箋挿入口と、該筒体の他方に開口した便箋排出口と、該筒体を押し潰した際に長方形を呈するように該筒体の折り曲げを許容する第一の辺と、該第一の辺に対向して該筒体の折り曲げを許容する第二の辺と、を備え、該便箋排出口において、該第一の辺と該第二の辺との中間となる位置には、指の挿入を許容する対向して形成された一対の切り欠き部を有し、該第一の辺または該第二の辺のいずれか一方の内側に、該便箋挿入口から該便箋排出口に至る短冊状の耳が配設される、ことを特徴とする封筒文具が提供される。
【００１０】
請求項２に記載の発明によると、便箋挿入口には封筒に挿入された筒体を封筒から排出する取っ手が形成される封筒文具が提供される。
【００１１】
請求項３に記載の発明によると、便箋を丸めて筒体に挿入し、便箋排出口から突出した便箋の端部を平坦な面で叩いて筒体の内部に便箋を収容するとともに、便箋の一辺を第一の辺または第二の辺に合わせる便箋挿入ステップと、便箋挿入ステップを実施した後、筒体を第一の辺及び第二の辺に沿って潰して便箋を三つ折りにする三つ折りステップと、三つ折りステップで三つ折りにされた便箋を収容した筒体を便箋排出口から封筒に収容する封筒収容ステップと、封筒収容ステップを実施した後、便箋排出口に形成された一対の切り欠き部に対応する封筒の底の部位をつまむことで封筒を介して便箋をつまむ便箋つまみステップと、便箋つまみステップに続いて筒体を封筒から排出して三つ折りにされた便箋を封筒内に収容する便箋収容ステップと、を有する封筒文具の使用方法が提供される。
【発明の効果】
【００１２】
本発明によれば、筒体内に筒状に丸めた便箋を挿入した後、筒体を潰すだけという容易かつ短時間の作業により、便箋を正確に三つ折りできる。また、三つ折りされた便箋を、容易に封筒へと挿入することが可能となる。
【図面の簡単な説明】
【００１３】
【図１】本発明の一実施形態にかかる封筒文具の斜視図である。
【図２】筒状に丸めた便箋を封筒文具に挿入する状況について示す斜視図である。
【図３】三つ折りされた便箋を封筒文具ごと封筒に挿入する状況について示す斜視図である。
【図４】筒状に丸めた便箋が封筒文具に挿入された状態について説明する図である。
【図５】封筒文具内にて便箋が三つ折りされた状態について示す斜視図である。
【発明を実施するための形態】
【００１４】
以下、本発明の実施形態を図面を参照して詳細に説明する。図１に示す封筒文具１は、筒体２を有して構成される。筒体２は、長方形状の第一面２１と、同じく長方形状の第二面２２を対向させるとともに、両者の長辺部分が接続されることにより、長手方向の両端部が開口した筒状部材を構成している。
【００１５】
第一面２１と第二面２２を接続している長辺部分は、一方が第一の辺２３、他方が第二の辺２４として構成され、筒体２の第一面２１と第二面２２が近づき合うように押し潰された際には、第一の辺２３と第二の辺２４の部位において筒体２が折れ曲がり、筒体２が全体として板状の長方形を呈するようになっている。
【００１６】
筒体２には、図３に示すように、三つ折りされた便箋１０が収容されるため、第一面２１と第二面２２の横幅、即ち、第一の辺２３及び第二の辺２４と直交する方向の幅は、三つ折りされた後の便箋１０（図２）の短手方向の長さとほぼ同一となるように構成されている。
【００１７】
これにより、筒体２の内周は、三つ折りにされる便箋の一辺の長さの略２／３となるようになっている。なお、「三つ折りにされる便箋の一辺」とは、三つ折の折り目と直交する方向の辺をいうものであり、図２に示すように、本実施例では長辺を構成する辺１３に該当することになる。
【００１８】
筒体２を構成する第一面２１と第二面２２は、例えば、厚さが０．１ｍｍ〜１．０ｍｍ程度の樹脂製シートなどの柔軟部材で構成することができる。
【００１９】
筒体２の長手方向の端部に形成される二つの開口のうち、一方の開口は便箋挿入口４とされ、他方の開口は便箋排出口６とされる。
【００２０】
筒体２は柔軟部材とするが、第一の辺２３，第二の辺２４において弾性復帰をする程度の「コシ（反発性）」を呈する素材、厚みを採用し、第一面２１と第二面２２の短手方向の中間部が離れ合うようにすることが好ましい。
【００２１】
これにより、図２に示すように、筒体２の第一の辺２３と第二の辺２４を近づけるように指で押さえたときに、便箋挿入口４と便箋排出口６を大きく開口させることができ、便箋１０の挿入が容易に行える。
【００２２】
便箋排出口６において、第一の辺２３と第二の辺２４との中間となる位置には、指の挿入を許容する対向して形成された一対の切り欠き部２１ａ，２２ａが形成される。本実施形態では、第一面２１と第二面２２の便箋排出口６側の端部に、それぞれＵ字状の欠き部２１ａ，２２ａが構成されている。
【００２３】
この切り欠き部２１ａ，２２ａにより、図３に示すように、切り欠き部２１ａの部位において、筒体２に挿入された便箋１０が外部に現れるようになり、図４に示すように、筒体２を封筒３０に挿入した状態で、切り欠き部２１ａの部位に現れた便箋１０の部位を封筒３０の上から指でつまむことが可能となる。
【００２４】
図１及び図５に示すように、筒体２において、第一の辺２３の内側の部位には、便箋挿入口４から便箋排出口６に至る短冊状の耳７が配設される。
【００２５】
この短冊状の耳７により、図５に示すように、筒体２に便箋１０を収容した際には、耳７の突端が便箋１０の表面に当接し、この際、便箋挿入口４から便箋排出口６に至る線状の当接部位が形成される。なお、この短冊状の耳７は、第一の辺２３の内側の部位ではなく第二の辺２４の内側の部位に設けることや、第一の辺２３と第二の辺２４の両方の内側の部位に設けることとしてもよい。
【００２６】
図１及び図４に示すように、便箋挿入口４には封筒３０に挿入された筒体２を封筒３０から排出する取っ手８が形成される。
【００２７】
本実施形態の取っ手８は、封筒３０に筒体２が挿入された状態において、封筒３０の開口部から突出し、指で摘むことができるように構成されている。取っ手８は、例えば、第一面２１の一部を突出させることや、第一面２１に付設する別の部材にて構成することができる。
【００２８】
なお、取っ手８を設けずに、筒体２を直接つまんで封筒３０から筒体２を引き出す作業形態とすることや、あるいは、封筒３０から筒体２の便箋挿入口４側が突出するサイズとすることで取っ手８を省略するといった形態も考えられる。
【００２９】
次に、以上のように構成される封筒文具１の使用方法について説明する。まず、図２に示すように、便箋１０を丸めて筒体２に挿入し、便箋排出口６から突出した便箋１０の端部を平坦な面で叩いて筒体２の内部に便箋１０を収容するとともに、図５に示すように、便箋１０の一辺１２を第一の辺２３または第二の辺２４に合わせる便箋挿入ステップを実施する。
【００３０】
具体的には、まず、図２に示すように、便箋１０を筒状に丸めて筒体２に挿入することが行われる。筒体２に挿入された便箋１０は、便箋１０の有するコシによって筒体２の内周面に密着するように膨らみ、これにより、筒体２の横幅（第一面２１と第二面２２の横幅）と略同一の幅で正確に三つ折りが実現されることになる。
【００３１】
筒体２に便箋１０を挿入する際には、便箋排出口６から便箋１０の端部を突出させ、当該端部を、例えば、机の表面にトントンと叩くように軽く当てることによれば、便箋１０の端部を筒体２の便箋排出口６の端部に位置決めすることができる。
【００３２】
なお、便箋１０に宛先が記載されており、当該宛先を封筒３０の窓を介して表示させる場合には、便箋１０は、宛先が表側に配置されるように丸められる。これにより、封筒３０に便箋１０が収容された状態では、封筒３０の窓から宛先が確認できるようになる。
【００３３】
また、筒体２に収容された便箋１０については、図５に示すように、便箋１０の一辺１２が第二の辺２４に合わせられるようにする。なお、第一の辺２３の内側に形成される耳７の上側の隙間部２３ａ、あるいは、下側の隙間部２３ｂに、便箋１０の一辺１２を挿入させるようにしてもよい。また、この便箋１０の一辺１２は、本実施例では便箋１０の短辺を構成する辺に該当することになる。
【００３４】
以上の便箋挿入ステップを実施した後、図４に示すように、筒体２を第一の辺２３及び第二の辺２４に沿って潰して便箋１０を三つ折りにする三つ折りステップが実施される。これにより、筒体２の中に便箋１０が収容されつつ、長方形の薄いシート状の筒体２が構成される。
【００３５】
この三つ折りステップの際には、便箋１０の表面が短冊状の耳７に当接するため、筒体２内で丸められた便箋１０が移動することが規制される。また、便箋１０の一辺１２が第二の辺２４に合わせられるため、三つ折りされる際には、一辺１２が第二の辺２４に当接することになり、一辺１２が第二の辺２４の位置を越えて筒体２内で移動することが規制される。
【００３６】
次に、図４に示すように、三つ折りステップで三つ折りにされた便箋１０を収容した筒体２を便箋排出口６から封筒３０に収容する封筒収容ステップが実施される。
【００３７】
封筒収容ステップを実施した後、図４に示すように、便箋排出口６に形成された一対の切り欠き部２１ａ，２２ａに対応する封筒３０の底の部位をつまむことで封筒３０を介して便箋１０をつまむ便箋つまみステップが実施される。
【００３８】
そして、図４に示すように、便箋つまみステップに続いて筒体２を封筒３０から排出して三つ折りにされた便箋１０を封筒３０内に収容する便箋収容ステップが実施される。
【００３９】
この際、便箋１０がつままれているため、筒体２のみが封筒３０から引き出されることになり、便箋１０は封筒３０の中に残されたままとなり、封筒３０内に便箋１０を収容できることになる。なお、筒体２の引き出しの作業は、取っ手８を引っ張ることで容易に行える。
【００４０】
以上の実施形態によれば、筒体２内に筒状に丸めた便箋１０を挿入した後、筒体２を潰すだけという容易かつ短時間の作業により、便箋１０を正確に三つ折りできる。また、三つ折りされた便箋１０を、容易に封筒３０へと挿入することが可能となる。
【符号の説明】
【００４１】
１    封筒文具
２    筒体
４    便箋挿入口
６    便箋排出口
７    耳
８    取っ手
１０    便箋
１２    一辺
２１    第一面
２１ａ  切り欠き部
２２    第二面
２２ａ  切り欠き部
２３    第一の辺
２４    第二の辺
３０    封筒
【図１】
0006008501.tif 000002
【図２】
0006008501.tif 000003
【図３】
0006008501.tif 000004
【図４】
0006008501.tif 000005
【図５】
0006008501.tif 000006